(57)【要約】【課題】電源電圧の低下による動作不良を防止することができる画像形成装置を提供する。【解決手段】画像形成装置の電源監視部にて、入力された電源電圧の低下を監視し、その電圧低下の発生回数に応じて動作制御手段が記録紙の搬送速度を変更することにより、画像形成動作に使用する消費電力を低下させる。このように、電源事情に応じて消費電力を抑えた画像形成動作を行なうことにより、電源電圧の低下による動作不良を防止することができる。【選択図】図４
2008116590.tif 000002
【特許請求の範囲】
【請求項１】
入力された電源電圧の低下を監視する電源監視部と、
前記電源監視部による監視結果に基づいて画像形成動作に使用される消費電力を低下させる制御を行なう動作制御手段と、
を備えた
ことを特徴とする画像形成装置。
【請求項２】
前記電源監視部は、電源電圧が低下したことを検出したときに電圧低下信号を発生し、
前記動作制御手段は、前記電圧低下信号の発生頻度が予め設定された基準値を超えたときに前記制御を実行することを特徴とする請求項１に記載の画像形成装置。
【請求項３】
前記制御では、前記電圧低下信号の発生頻度に応じて前記消費電力の低下度合いを変更することを特徴とする請求項２に記載の画像形成装置。
【請求項４】
前記制御では、画像が形成される記録紙の搬送速度及び搬送間隔のうちの少なくとも一方を変更することを特徴とする請求項１〜３のいずれか１項に記載の画像形成装置。
【請求項５】
前記画像形成動作で画像が形成され搬送される記録紙を加熱してその記録紙に前記画像を定着させる定着手段をさらに備えたことを特徴とする請求項４に記載の画像形成装置。
【請求項６】
前記動作制御手段により前記制御が実行されていることを報知する報知手段をさらに備えたことを特徴とする請求項１〜５のいずれか１項に記載の画像形成装置。
【発明の詳細な説明】
【技術分野】
【０００１】
本発明は、電源電圧の低下を監視する電源監視機能を備えた画像形成装置に関する。
【背景技術】
【０００２】
レーザプリンタやデジタル複写機などの画像形成装置では、停電や瞬断など電源電圧の低下を検出してその発生時刻と復旧時刻を確認できる電源監視装置を備えることにより、異常画像が発生したときの原因が装置の動作異常によるものか、あるいは電源異常によるものかを容易に判断できるようにした技術がある（たとえば、特許文献１参照）。
【０００３】
【特許文献１】特開平５−２７４９５号公報
【発明の開示】
【発明が解決しようとする課題】
【０００４】
しかしながら、上記の電源異常を監視する技術では、異常画像の発生原因が電源によるものであった場合に、電源の改善工事などが完了するまで、電源事情による不意のパワーダウンや異常画像の発生といった装置の動作不良を防止することができない。
【０００５】
本発明は、上記の問題を解決しようとするものであり、電源電圧の低下による動作不良を防止することができる画像形成装置を提供することを目的としている。
【課題を解決するための手段】
【０００６】
かかる目的を達成するための本発明の要旨とするところは、次の各項の発明に存する。
【０００７】
［１］入力された電源電圧の低下を監視する電源監視部と、
前記電源監視部による監視結果に基づいて画像形成動作に使用される消費電力を低下させる制御を行なう動作制御手段と、
を備えた
ことを特徴とする画像形成装置。
【０００８】
上記発明では、電源監視部は、入力された電源電圧の低下を監視し、たとえば電源異常による電圧低下を検出する。そして動作制御手段は、電源監視部による監視結果、たとえば電圧低下の発生回数や発生時間（時間間隔）などの発生状況に基づいて、画像形成動作に使用する消費電力を低下させる。
【０００９】
このように、電源事情に応じて消費電力を抑えた画像形成動作を行なうことにより、電源電圧の低下による動作不良を防止することができる。また、安定した電力供給が見込めない環境でも、電源が改善されるまでの間で動作不良を抑えた装置稼動が可能となる。
【００１０】
［２］前記電源監視部は、電源電圧が低下したことを検出したときに電圧低下信号を発生し、
前記動作制御手段は、前記電圧低下信号の発生頻度が予め設定された基準値を超えたときに前記制御を実行することを特徴とする［１］に記載の画像処理装置。
【００１１】
上記発明では、電圧低下信号の発生頻度、すなわち、所定の時間間隔における電源電圧低下の発生回数を観察（計数）して電源異常の傾向を把握し、その傾向に応じた制御を実行する。これにより、たとえば軽度の電源異常に対する過敏な反応が抑えられる。
【００１２】
［３］前記制御では、前記電圧低下信号の発生頻度に応じて前記消費電力の低下度合いを変更することを特徴とする［２］に記載の画像形成装置。
【００１３】
上記発明では、電圧低下信号の発生回数に応じて消費電力の低下度合いを変更することにより、必要以上の動作低下を招くことなく、電源事情に見合った最適な制御を行なうことができる。
【００１４】
［４］前記制御では、画像が形成される記録紙の搬送速度及び搬送間隔のうちの少なくとも一方を変更することを特徴とする［１］〜［３］のいずれか１項に記載の画像形成装置。
【００１５】
上記発明では、たとえば記録紙の搬送速度を遅くする、あるいは記録紙の搬送間隔を大きくするなどによって、記録紙の搬送機構を駆動する駆動源の消費電力を抑制することができる。このような搬送制御によって、画像形成動作に使用される消費電力を抑えた制御を実現できる。
【００１６】
［５］前記画像形成動作で画像が形成され搬送される記録紙を加熱してその記録紙に前記画像を定着させる定着手段をさらに備えたことを特徴とする請求項４に記載の画像形成装置。
【００１７】
上記発明では、たとえば記録紙の搬送速度を遅くする、あるいは記録紙の搬送間隔を大きくすると、定着手段が所定時間当たりに記録紙と接触する接触面積が低減し、加熱定着で記録紙に奪われる熱量が低減して定着手段の消費電力が抑えられる。このように、画像形成時に特に高い電力を消費する定着手段に対して、消費電力を抑えるよう動作制御することにより、消費電力の低下を効率よく行なうことができる。
【００１８】
［６］前記動作制御手段により前記制御が実行されていることを報知する報知手段をさらに備えたことを特徴とする請求項［１］〜［５］のいずれか１項に記載の画像形成装置。
【００１９】
上記発明では、たとえば表示出力、音声出力、あるいは遠隔通信による情報出力などを利用した報知手段により、動作制御部による画像形成動作の制御状態がユーザや管理センタ（サービスセンタ）に報知される。これにより、画像形成中に装置の動作が低下した場合に、ユーザや管理者は、その原因が電源異常によるものか、装置の異常によるものかを容易に特定できると共に、電源の改善工事または装置修理の必要性の有無を把握することができる。
【発明の効果】
【００２０】
本発明に係る画像形成装置によれば、電源電圧の低下による動作不良を防止することができる。
【発明を実施するための最良の形態】
【００２１】
以下、図面に基づき本発明の実施の形態を説明する。
【００２２】
［第１の実施の形態］
図１は、本発明の第１の実施形態に係る画像形成装置１０の構成を示している。画像形成装置１０は、原稿画像を読み取ってその複製画像を記録紙上に作成して出力するコピー機能や、ネットワークなどを通して入力された画像データに対応する画像を記録紙上に作成して出力するプリント機能、およびファクシミリ機能などを備えたデジタル複合機であり、システム全体の動作を制御するシステム制御部１１と、演算処理機能を果たすプロセッサ１２と、各種周辺機能を制御する周辺制御部１３とを制御部として備えている。
【００２３】
システム制御部１１には、プロセッサ１２および周辺制御部１３のほか、ＬＣＤ（Liquid Crystal Display）パネルからなる操作表示部１４、システムメモリ１５、システム画像処理部１６、電源監視部１７、および時刻情報発生部１８が接続されている。
【００２４】
操作表示部１４は、ユーザからの各種操作の受け付けと各種操作画面や案内画面の表示を行なう。システムメモリ１５は、プロセッサ１２が実行するプログラムの格納やプロセッサ１２がプログラムを実行する際のワークメモリ、画像データの格納などに共用される揮発性のメモリである。
【００２５】
システム画像処理部１６には、原稿画像を読み取るスキャナ部（読取部）１９と、スキャナ部１９で読み取られた原稿画像や外部からデータ入力された画像を記録紙に出力するプリンタ部（出力部）２１とが接続されている。
【００２６】
スキャナ部１９は、図示しない、複数枚の原稿を順次連続的に読み取るための自動原稿送り装置、原稿を照射する光源、原稿を幅方向に１ライン分読み取るＣＣＤ（Charge
Coupled Device）方式のラインイメージセンサ、ライン単位の読取位置を原稿の長さ方向に移動させる移動機構、原稿からの反射光をラインイメージセンサに導いて結像させるレンズやミラーからなる光学部品、ラインイメージセンサが出力するアナログ画像信号をデジタルの画像データに変換するＡ／Ｄ変換器、およびスキャナ部１９の動作を制御する制御部などを備えている。
【００２７】
プリンタ部２０は、入力された画像データに対応する画像を電子写真プロセスにより記録紙上に形成して出力する装置であり、図示しない、記録紙の搬送装置、感光体ドラム、帯電装置、光源にＬＤ（Laser
Diode）を用いたレーザユニット、現像装置、転写分離装置、クリーニング装置、定着装置２１、およびこれらを制御する制御部などを備えた、いわゆるレーザプリンタとして構成されている。
【００２８】
スキャナ部１９とプリンタ部２０の制御部はそれぞれ、ＣＰＵ（Central Processing Unit）、ＲＯＭ（Read Only
Memory）、ＲＡＭ（Random Access Memory）を主要部として構成されている。これらの各制御部は、システム画像処理部１６およびシステム制御部１１を介してプロセッサ１２と動作コマンドやステータスの通信を行ない、プロセッサ１２からの指示に基づいて原稿の読み取りや画像形成動作を制御するようになっている。
【００２９】
スキャナ部１９による原稿の読取動作では、自動原稿送り装置にセットされた原稿が読取位置に送られ、光源からの照明光によって照射される。原稿からの反射光は、レンズやミラーからなる光学部品によりラインイメージセンサに導かれて結像され、ラインイメージセンサは、移動機構によって原稿の長さ方向へ移動されるのに伴い原稿を幅方向に１ラインずつ連続的に読み取る。ラインイメージセンサに読み取られ光電変換されて出力された原稿のアナログ画像信号は、Ａ／Ｄ変換器によりデジタルの画像データに変換されてシステム画像処理部１６に入力され、システム画像処理部１６で各種の画像処理を受けた後、システム制御部１１を通じてシステムメモリ１５に一旦格納される。
【００３０】
また、プリンタ部２０による記録紙への出力動作では、システムメモリ１５に格納されている画像データがシステム制御部１１により読み出されてシステム画像処理部１６に入力され、各種の画像処理をシステム画像処理部１６で受けた後、レーザユニットからレーザ光として出射され、回転駆動する感光体ドラムへ照射される。感光体ドラムは、回転駆動しつつ表面が帯電装置によって所定の極性に一様に帯電され、その表面にレーザ光による走査露光で静電潜像が形成された後、現像装置により静電潜像にトナーが付着されてトナー像が形成（現像）される。
【００３１】
このトナー像は、搬送装置によって転写位置へ搬送された記録紙に、転写分離装置によって感光体ドラム上から転写される。また、感光体ドラム上の転写残トナーはクリーニング装置によって除去される。
【００３２】
トナー像が転写された記録紙は、搬送装置によって定着装置２１へ搬送され、定着装置２１が備える加熱ローラおよび加圧ローラの間を通過搬送される際に、加熱および加圧によるトナー像（画像）の定着処理を受けて出力される。
【００３３】
電源監視部１７は、画像形成装置１０の電源状態を監視する機能を有しており、平滑回路２７と、電源電圧低下検出回路２８とを備え、平滑回路２７には、画像形成装置１０に設けられたＤＣ電源３０が接続されている。
【００３４】
ＤＣ電源３０は、入力されたＡＣ（交流）電圧をＤＣ（直流）電圧に変換して、上記の各種制御部、スキャナ部１９、プリンタ部２０など、画像処理装置１０の各電気部品に電力供給する。
【００３５】
電源監視部１７の平滑回路２７は、ＡＣ入力を平滑化し、そのＡＣ入力に応じたＤＣ電圧に変換する機能を有した回路である。電源電圧低下検出回路２８は、ＡＣ入力の瞬断など、電源電圧の低下を検出する回路であり、平滑回路２７の出力電圧Ｆが予め定められた電源電圧低下の判別閾値（瞬断判別閾値）以下の場合に、電源電圧低下（瞬断）の発生を示すAC
Down信号ＰＳをシステム制御部１１へ出力する。詳細には、判別閾値に基づき電源電圧低下（瞬断）を検出したタイミングで、AC Down信号ＰＳの信号レベルをHighからLowへ切り替え、電源電圧低下状態から復帰したことを検出すると、AC
Down信号ＰＳの信号レベルをLowからHighへ切り替える。
【００３６】
瞬断とは、ＡＣ入力電圧が一瞬低下もしくは停止することを指し、低頻度で瞬断が発生してもＤＣ電源３０の出力電圧ＳＰは殆ど低下せず、プロセッサ１２など各回路部は正常動作できる。また、本明細書において電源電圧の低下とは、電源電圧が低下もしくは一瞬停止することの双方を含む。
【００３７】
上記の判別閾値については、画像形成装置１０の最大消費電力などから適宜設定すればよく、たとえば、ＡＣ入力が１波分以上欠けたことにより平滑回路２７の出力電圧Ｆが電圧降下した値に設定する。ＡＣ入力が、たとえば５０Ｈｚ（ヘルツ）の交流の場合には、１波の１周期は２０ｍｓになる。
【００３８】
時刻情報発生部１８は、時刻を刻むと共に時刻情報をシステム制御部１１へ出力する。この時刻情報とAC Down信号ＰＳの発生の有無（信号レベルの変化）は、システム制御部１１を通じてプロセッサ１２に伝達される。そしてプロセッサ１２およびシステム制御部１１からなる動作制御手段は、AC
Down信号ＰＳの発生回数や発生時間（時間間隔）などの発生状況に基づいて、画像形成動作に使用される消費電力を低下させるよう画像形成装置１０を制御する。
【００３９】
周辺制御部１３には、起動用プログラムなどが予め記憶されたＲＯＭ２２と、小容量ストレージデバイス２３と、大容量ストレージデバイス２４と、不揮発メモリ２５と、外部インターフェイス部２６とが接続されている。小容量ストレージデバイス２３は、制御プログラムの格納や汎用オペレーティング・システムのプログラムの格納などに使用される。ここでは、小容量ストレージデバイス２３としてフラッシュメモリを使用する。画像形成装置１０の立ち上げ時にＲＯＭ２２内の起動プログラムを実行することで、小容量ストレージデバイス２３内のプログラムがシステムメモリ１５に展開されて動作するようになっている。大容量ストレージデバイス２４は、ハードディスク装置などで構成され、画像データの格納などに使用される。
【００４０】
不揮発メモリ２５は、電源がオフしても記憶内容が保持されるメモリである。不揮発メモリ２５には、装置固有の各種パラメータなど、電源オフ後も保存すべき所定のデータが記憶される。
【００４１】
外部インターフェイス部２６は、接続された外部装置と通信するための制御を行なう。たとえば、接続にはＬＡＮ（Local Area
Network）、ＵＳＢ（Universal Serial Bus）、ＩＥＥＥ１３９４（Institute of Electrical and
Electronic Engineers 1394）などが使用される。
【００４２】
図２は、電源監視部１７の構成例を示している。ＡＣ入力はトランス３２ａの一次側に入力され、トランス３２ａの２次側には、ダイオードブリッジ３３ａと、コンデンサ３３ｂと、抵抗器３３ｃとにより平滑回路２７が構成されている。平滑回路２７の出力電圧Ｆは、電源電圧低下検出回路２８を構成するコンパレータ３４ａの（＋）端子に入力され、コンパレータ３４ａの（−）入力端子には電源電圧低下の判別閾値となる電圧が印加されている。コンパレータ３４ａの出力はAC
Down信号ＰＳになっている。
【００４３】
電源監視部１７は、図２に示す構成のほか、ＡＣ入力のゼロクロスを検出する回路を設け、ゼロクロスするタイミングの間隔から、電圧の低下を判断する回路で構成してもよい。たとえば、５０ＨｚのＡＣ入力の場合、通常状態では、１０ｍｓ毎にゼロクロスするが、ＡＣ入力が途絶えている間は次のゼロクロスが到来しないので、ゼロクロスの間隔が長くなる。たとえば、電源電圧低下（瞬断）によりＡＣ入力が１波抜けるとゼロクロスの間隔は３０ｍｓとなり、２波抜けると５０ｍｓになる。そこで、ゼロクロスの間隔が、たとえば、４０ｍｓ以上になれば電源電圧低下（瞬断）と判断するように構成することができる。
【００４４】
次に、上記構成の画像形成装置１０による電源電圧の監視とそれに伴う画像形成動作の制御について説明する。
【００４５】
図３は、本実施形態に係る動作制御手段としてのシステム制御部１１およびプロセッサ１２による電源電圧の低下を検出する処理の流れを示している。
【００４６】
画像形成装置１０の通電中に、電源監視部１７の平滑回路２７はＡＣ入力を平滑化してそのＡＣ入力に応じたＤＣ電圧に変換し、電源電圧低下判定回路２８に電圧Ｆを出力する。電源事情によって電源電圧が低下すると、電源電圧低下検出回路２８は判別閾値に基づいて電源電圧の低下を検出し、システム制御部１１へ出力するAC
Down信号ＰＳの信号レベルをHighからLowへ切り替える（ステップＳ１０１；Low）。この情報はシステム制御部１１からプロセッサ１２へ伝達され、プロセッサ１２はシステム制御部１１に制御命令（ａ）を出す。
【００４７】
プロセッサ１２から制御命令（ａ）を受けたシステム制御部１１は、AC Down信号ＰＳの信号レベルがHighからLowへ切り替わったタイミングで時刻情報発生部１８が発生した時刻情報を、電圧低下の発生時刻情報として不揮発メモリ２５に記録し（ステップＳ１０２）、さらに電圧低下の発生回数情報を不揮発メモリ２５に記録する（ステップＳ１０３）。
【００４８】
また、低下した電源電圧が正常に戻ると、電源電圧低下検出回路２８は判別閾値に基づいて電源電圧の復帰を検出し、システム制御部１１へ出力するAC
Down信号ＰＳの信号レベルをLowからHighへ切り替える（ステップＳ１０１；High）。この情報はシステム制御部１１からプロセッサ１２へ伝達され、プロセッサ１２はシステム制御部１１に新たな制御命令（ｂ）を出す。この制御命令（ｂ）を受けたシステム制御部１１は、AC
Down信号ＰＳの信号レベルがLowからHighへ切り替わったタイミングで時刻情報発生部１８が発生した時刻情報を、電圧低下からの復帰時刻情報として不揮発メモリ２５に記録し（ステップＳ１０４）、処理を終了する（エンド）。
【００４９】
上記の処理は、画像形成装置１０の通電中に、AC Down信号ＰＳの信号レベルが変化する度に実行され、不揮発メモリ２５では、電圧低下の発生時刻情報および復帰時刻情報が蓄積されると共に、電圧低下の発生回数情報が更新される。
【００５０】
図４は、画像形成装置１０による画像形成動作時の消費電力を低下させる制御の一例としての記録紙の搬送速度を変更する処理の流れを示している。
【００５１】
プロセッサ１２は、画像形成装置１０の通電中に不揮発メモリ２５から電圧低下の発生時刻および復帰時刻と、発生回数の各情報を読み出して、予め設定された所定の時間間隔（たとえば１時間）当たりの電源電圧低下（瞬断）の発生回数を算出（計数）する。ここで算出された所定の時間間隔当たりの電圧低下の発生回数が予め設定された所定の基準値（たとえば１００回／１時間）以下の場合には（ステップＳ２０１；Ｎ）、システム制御部１１に制御命令（ｃ）を出す。制御命令（ｃ）を受けたシステム制御部１１は、記録紙の搬送速度（線速）を通常速度（たとえば８００ｍｍ／ｓ「通常モード」）にして画像形成動作を実行するよう、プリンタ部２０を含む各部を制御し（ステップＳ２０２）、処理を終了する（エンド）。
【００５２】
また、所定の時間間隔当たりの電圧低下の発生回数が基準値を超えた場合には（ステップＳ２０１；Ｙ）、プロセッサ１２はシステム制御部１１に制御命令（ｄ）を出す。制御命令（ｄ）を受けたシステム制御部１１は、記録紙の搬送速度を遅くして（たとえば６００ｍｍ／ｓ「低速モード」）画像形成動作を実行するよう各部を制御する（ステップＳ２０３）。この制御については、たとえば、画像形成装置１０が待機中であれば、印字ジョブの入力によって画像形成動作へ移行した際に実行するようにし、また画像形成動作中であれば、その処理中の印字ジョブの次に入力された印字ジョブから実行するようにする。
【００５３】
さらにシステム制御部１１は、記録紙の搬送速度を低下させて画像形成動作を実行する予定であること、あるいは実行を開始したことを、たとえば、「低速モード開始予定」、「低電力モード開始予定」、または、「低速モード中」、「低電力モード中」などの文字情報やそのことを示す記号情報などによって操作表示部１４に表示し（ステップＳ２０４）、ユーザへ報知して、処理を終了する（エンド）。
【００５４】
また、この処理でのプロセッサ１２による所定の時間間隔当たりの電源電圧の低下の発生回数と基準値との比較は、画像形成装置１０の通電中に定期的にまたは随時行なわれる。これにより、通常モード状態で電圧低下が頻発し基準値を超えると、低速モードに切り替えると共にそのことを操作表示部１４に表示する制御が実行され、低速モード状態で電圧低下の発生回数が減少し基準値以下になると、処理中の印字ジョブの終了後（所定時間の経過後）に、あるいは、それよりも長い一定時間の経過後に、通常モードに戻して上記表示を消去する制御が実行される。このように、低速モードから通常モードに移行する際に時間を空けることで、低速モードと通常モードの切り替えが短期間で繰り返し行なわれるような制御のばたつきが抑えられる。
【００５５】
そして、記録紙の搬送速度を通常速度から低速度にした場合には、記録紙の出力速度が低下することで（たとえば６００ｍｍ／ｓ÷８００ｍｍ／ｓ⇒３／４）、定着装置２１が所定時間当たりに記録紙と接触する接触面積が低減し、加熱定着で記録紙に奪われる熱量が低減して、定着装置２１で使用される消費電力が抑えられるようになる。
【００５６】
以上説明したように、本実施形態に係る画像形成装置１０では、電源事情に応じて消費電力を抑えた画像形成動作が行なわれることにより、電源電圧の低下による異常画像の発生などの動作不良を防止することができる。また、安定した電力供給が見込めない環境でも、電源が改善されるまでの間で動作不良を抑えた装置稼動が可能となる。
【００５７】
また、画像形成時に特に高い電力を消費する定着装置２１に対して、消費電力を抑えるよう動作制御していることにより、消費電力の低下を効率よく行なうことができる。
【００５８】
また、所定の時間間隔における電圧低下（AC Down信号）の発生回数を観察（計数）して電源異常の傾向を把握し、その傾向に応じた制御を実行していることにより、たとえば軽度の電源異常に対する過敏な反応が抑えられる。
【００５９】
また、操作表示部１４に画像形成動作の制御状態（低速モード）が表示されてユーザに報知されるため、画像形成において装置の動作速度が低下した場合に、その原因が電源異常によるものか、装置の異常によるものかをユーザは容易に特定できると共に、電源の改善工事または装置修理の必要性の有無を把握することができる。
【００６０】
［第２の実施の形態］
図５は、上述した画像形成装置１０における本発明の第２の実施形態に係る画像形成動作の制御（記録紙搬送間隔の変更処理）の流れを示している。
【００６１】
本実施形態では、画像形成装置１０の動作中にプロセッサ１２がシステムメモリ１５から電圧低下の発生時刻および復帰時刻と、発生回数を読み出して、予め設定された所定の時間間隔（たとえば１時間）当たりの電源電圧の低下の発生回数を算出（計数）する。ここで算出された所定の時間間隔当たりの電圧低下の発生回数が予め設定された所定の基準値（たとえば１００回／１時間）以下の場合は（ステップＳ３０１；Ｎ）、システム制御部１１に制御命令（ｅ）を出す。制御命令（ｅ）を受けたシステム制御部１１は、記録紙の搬送間隔を通常間隔（たとえば６００ｍｍ「通常間隔モード」）にして画像形成動作を実行するようプリンタ部２０を含む各部を制御し（ステップＳ３０２）、処理を終了する（エンド）。
【００６２】
また、所定の時間間隔当たりの電圧低下の発生回数が基準値を超えた場合は（ステップＳ３０１；Ｙ）、プロセッサ１２はシステム制御部１１に制御命令（ｆ）を出す。制御命令（ｆ）を受けたシステム制御部１１は、記録紙の搬送間隔を大きくして（たとえば８００ｍｍ「拡張間隔モード」）画像形成動作を実行するよう各部を制御する（ステップＳ３０３）。さらに、待機中や画像形成動作中に、記録紙の搬送間隔を大きくして画像形成動作を実行する予定であること（実行準備）、その制御を開始したことを（実行開始／実行中）、文字情報や記号情報などで操作表示部１４に表示し（ステップＳ３０４）、ユーザへ報知して、処理を終了する（エンド）。
【００６３】
また、本実施形態の場合も、この処理における所定の時間間隔当たりの電源電圧の低下の発生回数と基準値との比較は、画像形成装置１０の動作中に定期的にまたは随時行なわれる。したがって、通常間隔モード状態で電圧低下が頻発し基準値を超えると、拡張間隔モードに切り替えると共にそのことを操作表示部１４に表示する制御が実行され、拡張間隔モードで電圧低下の発生回数が減少し基準値以下になると、処理中の印字ジョブの終了後（所定時間の経過後）に、あるいは、それよりも長い一定時間の経過後に、通常間隔モードに戻して上記表示を消去する制御が実行される。
【００６４】
図６は、記録紙の搬送間隔を変更する場合の一例を示す。たとえば、Ａ４サイズの記録紙を横向き（短手方向）に搬送して画像形成する場合（搬送方向Ｙ）、Ａ４サイズの記録紙では、横方向（幅方向）の長さ寸法Ｗが約２１７ｍｍであるため、図６（Ａ）に示す通常間隔モードで、特定の記録紙Ｐの後端から後続する記録紙Ｐの先端までの距離Ｌ１を６００ｍｍに設定した場合には、特定の記録紙Ｐの先端から後続する記録紙Ｐの先端までの距離となる搬送間隔Ｈ１（出力周期）は、約２１７ｍｍ＋６００ｍｍ＝約８１７ｍｍとなる。
【００６５】
これに対し、図６（Ｂ）に示す拡張間隔モードで、特定の記録紙Ｐの後端から後続する記録紙Ｐの先端までの距離Ｌ２を８００ｍｍに設定した場合には、記録紙Ｐの搬送間隔Ｈ２は、２１７ｍｍ＋８００ｍｍ＝約１０１７ｍｍとなる。この例では、記録紙Ｐの出力速度（ＣＰＭ：Copy
Per Minute）が８１７／１０１７⇒約４／５に低下するため、第１の実施形態と同様に、定着装置２１が所定時間当たりに記録紙に奪われる熱量が低減して、定着装置２１で使用される消費電力が抑えられる。したがって、第１の実施形態と同様の効果が得られる。
【００６６】
［第３の実施の形態］
図７は、上述した画像形成装置１０における本発明の第３の実施形態に係る画像形成動作の制御（記録紙搬送速度の変更処理）の流れを示している。
【００６７】
本実施形態では、画像形成装置１０の動作中にプロセッサ１２がシステムメモリ１５から電圧低下の発生時刻および復帰時刻と、発生回数を読み出して、予め設定された所定の時間間隔（たとえば１時間）当たりの電源電圧の低下の発生回数を算出（計数）する。ここで算出された所定の時間間隔当たりの電圧低下の発生回数が予め設定された所定の基準値Ａ（たとえば１００回／１時間）以下の場合は（ステップＳ４０１；Ｎ）、システム制御部１１に制御命令（ｇ）を出す。制御命令（ｇ）を受けたシステム制御部１１は、記録紙の搬送速度（線速）を通常速度（たとえば８００ｍｍ／ｓ）にして画像形成動作を実行するよう、プリンタ部２０を含む各部を制御し（ステップＳ４０２）、処理を終了する（エンド）。
【００６８】
また、所定の時間間隔当たりの電圧低下の発生回数が基準値Ａを超え（ステップＳ４０１；Ｙ）、かつ、予め設定された、基準値Ａよりも大きな基準値Ｂ（たとえば２００回／１時間）以下の場合は（ステップＳ４０３；Ｎ）、プロセッサ１２はシステム制御部１１に制御命令（ｈ）を出す。制御命令（ｈ）を受けたシステム制御部１１は、記録紙の搬送速度を遅くして（たとえば６００ｍｍ／ｓ⇒出力速度は３／４に低下）画像形成動作を実行するよう各部を制御する（ステップＳ４０４）。さらに、待機中や画像形成動作中に、記録紙の搬送速度（出力速度）を低下させて画像形成動作を実行する予定であることやその制御を開始したことを操作表示部１４に表示し（ステップＳ４０５）、ユーザへ報知して、処理を終了する（エンド）。
【００６９】
また、所定の時間間隔当たりの電圧低下の発生回数が基準値Ｂを超えた場合は（ステップＳ４０３；Ｙ）、プロセッサ１２はシステム制御部１１に制御命令（ｉ）を出す。制御命令（ｉ）を受けたシステム制御部１１は、記録紙の搬送速度をさらに遅くして（たとえば４００ｍｍ／ｓ⇒出力速度は１／２に低下）画像形成動作を実行するよう各部を制御する（ステップＳ４０６）。さらに、待機中や画像形成動作中に、記録紙の搬送速度を大幅に低下させて画像形成動作を実行する予定であることやその制御を開始したことを操作表示部１４に表示し（ステップＳ４０５）、ユーザへ報知して、処理を終了する（エンド）。
【００７０】
また、本実施形態の場合も、この処理における所定の時間間隔当たりの電源電圧の低下の発生回数と、基準値Ａまたは基準値Ｂとの比較は、画像形成装置１０の動作中に定期的にまたは随時行なわれる。したがって、記録紙の搬送速度を通常速度にして画像形成動作を実行している最中に、電圧低下が頻発して基準値Ａまたは基準値Ｂを超えると、記録紙の搬送速度を各速度まで低下させてそのことを操作表示部１４に表示する制御が実行される。さらに、記録紙の搬送速度を最低速度にして画像形成動作を実行している最中に、電圧低下の発生回数が減少して基準値Ｂ以下となると、記録紙の搬送速度が１段階戻され、その状態での動作中に、電圧低下の発生回数が更に減少して基準値Ａ以下となると、記録紙の搬送速度を通常に戻す制御が実行される。
【００７１】
このように、基準値を複数段階に設定して、電圧低下の発生回数の高低に応じた記録紙搬送制御（速度変更）を行なうことも可能であり、これにより、画像形成において必要以上の動作速度の低下を招くことなく、電源事情に見合った最適な制御を行なうことができる。また、このような複数段階の基準値を用いる制御は、第２の実施形態で説明した記録紙の搬送間隔の制御にも適用することができる。
【００７２】
［第４の実施の形態］
図８は、上述した画像形成装置１０における本発明の第４の実施形態に係る画像形成動作の制御（プロセッサ動作周波数の変更処理）の流れを示している。
【００７３】
本実施形態では、画像形成装置１０の動作中にプロセッサ１２がシステムメモリ１５から電圧低下の発生時刻および復帰時刻と、発生回数を読み出して、予め設定された所定の時間間隔（たとえば１時間）当たりの電源電圧の低下の発生回数を算出（計数）する。ここで算出された所定の時間間隔当たりの電圧低下の発生回数が予め設定された所定の基準値Ａ（たとえば１００回／１時間）以下の場合は（ステップＳ５０１；Ｎ）、プロセッサ１２自身の動作周波数を通常の周波数（たとえば７５０ＭＨｚ）にして画像形成動作を実行し（ステップＳ５０２）、処理を終了する（エンド）。
【００７４】
また、所定の時間間隔当たりの電圧低下の発生回数が基準値Ａを超え（ステップＳ５０１；Ｙ）、かつ、予め設定された、基準値Ａよりも大きな基準値Ｂ（たとえば２００回／１時間）以下の場合は（ステップＳ５０３；Ｎ）、プロセッサ１２の動作周波数を低下させて（たとえば６００ＭＨｚ⇒動作速度（記録紙の出力速度）は４／５に低下）画像形成動作を実行する。さらに、プロセッサ１２の動作周波数を低下させて画像形成動作を実行する予定であることやその制御を開始したことを操作表示部１４に表示し（ステップＳ５０４）、ユーザへ報知して、処理を終了する（エンド）。
【００７５】
また、所定の時間間隔当たりの電圧低下の発生回数が基準値Ｂを超えた場合は（ステップＳ５０３；Ｙ）、プロセッサ１２の動作周波数をさらに低下させて（たとえば４５０ＭＨｚ⇒動作速度（記録紙の出力速度）は３／５に低下）画像形成動作を実行する（ステップＳ５０６）。さらに、プロセッサ１２の動作周波数を大幅に低下させて画像形成動作を実行する予定であることやその制御を開始したことを操作表示部１４に表示し（ステップＳ５０５）、ユーザへ報知して、処理を終了する（エンド）。
【００７６】
また、本実施形態の場合も、この処理における所定の時間間隔当たりの電源電圧の低下の発生回数と、基準値Ａまたは基準値Ｂとの比較は、画像形成装置１０の動作中に定期的にまたは随時行なわれる。したがって、プロセッサ１２の動作周波数を通常にして画像形成動作を実行している最中に、電圧低下が頻発して基準値Ａまたは基準値Ｂを超えると、プロセッサ１２の動作周波数を各値まで低下させてそのことを操作表示部１４に表示する制御が実行される。さらに、プロセッサ１２の動作周波数を最低値にして画像形成動作を実行している最中に、電圧低下の発生回数が減少して基準値Ｂ以下となると、プロセッサ１２の動作周波数が１段階戻され、その状態での動作中に、電圧低下の発生回数が更に減少して基準値Ａ以下となると、プロセッサ１２の動作周波数を通常に戻す制御が実行される。
【００７７】
このように、基準値を複数段階に設定して、電圧低下の発生回数の高低に応じたプロセッサ１２の動作周波数制御（周波数変更）を実施することも可能である。そしてこの場合は、装置全体の動作速度が変更されて消費電力が抑えられるようになる。
【００７８】
図９に、画像形成装置におけるプロセッサ動作周波数およびコピー速度の変更と消費電力の変化の関係の一例を示す。図９に示すように、たとえば、プロセッサの動作周波数が７５０ＭＨｚでコピー速度が７５ＣＰＭであるＡモードの場合には、コピー時の最大電力が１１６０Ｗｈで、待機時の電力が１０６Ｗｈとなる。これに対し、プロセッサの動作周波数が６００ＭＨｚでコピー速度が６０ＣＰＭであるＢモードの場合には、コピー時の最大電力が１００６Ｗｈで、待機時の電力が５５Ｗｈとなる。このように、プロセッサ動作周波数の低下に伴い、消費電力が低下されるため、第１〜第３の実施形態と同様に、電源電圧の低下による異常画像の発生などの動作不良を防止できるようになる。
【００７９】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８０】
たとえば、実施の形態で説明した記録紙の搬送速度または搬送間隔の変更、プロセッサ動作周波数の変更につていては、各々を単独で行なうほかに、それらの２つ以上を組み合わせて行なうようにしてもよい。
【００８１】
また、実施の形態では、電圧低下の発生回数に基づいて、画像形成動作に使用する消費電力を低下させるよう制御しているが、これに換えて、電圧低下の発生時間に基づいた制御を行なうようにしてもよい。電圧低下が発生した際には、発生時刻および復帰時刻の各情報を不揮発メモリ２５に記録していることで、それらの情報から電圧低下１回当たりの時間が判明する。そこで、予め設定された所定の時間（たとえば１時間）当たりの電源電圧低下の累積時間を算出し、その累積時間が予め設定された所定の基準値（たとえば２秒／１時間）を超えた場合に、消費電力を抑えた画像形成動作を実行するよう制御するなどにより、電圧低下の発生時間に基づいた制御が可能である。
【００８２】
また、実施の形態では、記録紙の搬送速度または搬送間隔の変更、プロセッサ動作周波数の変更による画像形成動作の状態を、画像形成装置１０の操作表示部１４に表示することで、ユーザへ報知するようにしているが、この報知については、画像形成装置１０が備えるスピーカからの音声出力などで行なうようにしてもよく、あるいは、ネットワークや通信回線を通じて、管理者やサービスセンタに対し報知するようにしてもよい。
【図面の簡単な説明】
【００８３】
【図１】本発明の第１の実施の形態に係る画像形成装置の構成を示すブロック図である。
【図２】本発明の第１の実施の形態に係る電源監視部の回路構成を示す回路図である。
【図３】本発明の第１の実施の形態に係る電源電圧低下の発生回数を検出し記録する動作を示す流れ図である。
【図４】本発明の第１の実施の形態に係る消費電力の変更に対応した画像記録動作を示す流れ図である。
【図５】本発明の第２の実施の形態に係る消費電力の変更に対応した画像記録動作を示す流れ図である。
【図６】本発明の第２の実施の形態に係る記録紙搬送間隔の変更を示す説明図である。
【図７】本発明の第３の実施の形態に係る消費電力の変更に対応した画像記録動作を示す流れ図である。
【図８】本発明の第４の実施の形態に係る消費電力の変更に対応した画像記録動作を示す流れ図である。
【図９】プロセッサ動作周波数の変更に伴う消費電力の変化を示す表図である。
【符号の説明】
【００８４】
１０…画像形成装置
１１…システム制御部
１２…プロセッサ
１３…周辺制御部１３
１４…操作表示部
１５…システムメモリ
１６…システム画像処理部
１７…電源監視部
１８…時刻情報発生部
１９…スキャナ部
２０…プリンタ部
２１…定着装置
２２…ＲＯＭ
２３…小容量ストレージデバイス
２４…大容量ストレージデバイス
２５…不揮発メモリ
２６…外部インターフェイス部
２７…平滑回路
２８…電源電圧低下判定回路
３０…ＤＣ電源
３２ａ…トランス
３３ａ…ダイオードブリッジ
３３ｂ…コンデンサ
３３ｃ…抵抗器
３４ａ…コンパレータ
Ｐ…記録紙
【図１】
2008116590.tif 000003
【図２】
2008116590.tif 000004
【図３】
2008116590.tif 000005
【図４】
2008116590.tif 000006
【図５】
2008116590.tif 000007
【図６】
2008116590.tif 000008
【図７】
2008116590.tif 000009
【図８】
2008116590.tif 000010
【図９】
2008116590.tif 000011